(57)【要約】【課題】過負荷状態となった基地局無線装置に、ハードウェアの増設・ソフトウェアの更新が必要であるかを正確に判断する。【解決手段】基地局無線装置２Ａ〜２Ｚは、処理可能な呼量を超える呼が発生した場合、その呼量を表す超過呼量発生情報を作成し、タイムスタンプを付加して無線基地局制御装置１に送信する。無線基地局制御装置１は、基地局無線装置２Ａ〜２Ｚ毎に、当該基地局無線装置の状態監視結果を表す状態情報にタイムスタンプを付加して格納するとともに、隣接基地局情報を格納する。無線基地局制御装置１は、超過呼量発生情報に基づき基地局無線装置２Ａ〜２Ｚのいずれかが過負荷状態となったと判断すると、当該基地局無線装置に隣接する基地局無線装置の状態情報を照合し、基地局無線装置が過負荷状態になった要因が、当該基地局無線装置の構成に起因するか、当該基地局無線装置に隣接する基地局無線装置の状態に起因するかを判断する。【選択図】図１
2005348033.tif 000002
【特許請求の範囲】
【請求項１】
無線基地局制御装置と、各々が前記無線基地局制御装置と接続されており、自己で処理可能な呼量を超える呼が発生した場合に、その呼を処理しない複数の基地局無線装置とを有してなる移動通信システムにおいて、
前記複数の基地局無線装置の各々は、
自己の基地局無線装置で処理可能な呼量を超える呼が発生した場合、処理しなかった呼量を表す超過呼量発生情報を作成する超過呼量発生情報作成部と、
前記超過呼量発生情報作成部にて作成された前記超過呼量発生情報にタイムスタンプを付加する第１のタイムスタンプ付加部と、
前記超過呼量発生情報作成部にて作成された前記超過呼量発生情報であって前記第１のタイムスタンプ付加部にてタイムスタンプが付加されたものを前記無線基地局制御装置に送信する超過呼量発生情報送信部とを有し、
前記無線基地局制御装置は、
前記複数の基地局無線装置の各々の状態を監視する状態監視部と、
前記状態監視部にて監視された前記基地局無線装置の状態監視結果を表す状態情報にタイムスタンプを付加する第２のタイムスタンプ付加部と、
前記複数の基地局無線装置ごとに、前記状態監視部にて監視された当該基地局無線装置の状態情報であって前記第２のタイムスタンプ付加部にてタイムスタンプが付加されたものを格納する状態情報格納部と、
前記複数の基地局無線装置ごとに、当該基地局無線装置に隣接する基地局無線装置を表す隣接基地局情報を格納する隣接基地局情報格納部と、
前記複数の基地局無線装置の各々から送信されてきた、前記タイムスタンプが付加された超過呼量発生情報を受信する超過呼量発生情報受信部と、
前記超過呼量発生情報受信部にて受信された超過呼量発生情報に基づいて、前記複数の基地局無線装置のいずれかにて処理能力を超えた呼が発生して過負荷状態となったかを判断し、さらに、前記複数の基地局無線装置のいずれかが過負荷状態になったと判断した場合に、前記状態情報格納部に格納されている状態情報、および前記隣接基地局情報格納部に格納されている隣接基地局情報に基づいて、前記基地局無線装置が過負荷状態になった要因が、当該基地局無線装置の構成に起因するものであるか、当該基地局無線装置に隣接する基地局無線装置の状態に起因するものであるかを判断する過負荷状態判断部とを有する移動通信システム。
【請求項２】
前記過負荷状態判断部は、前記複数の基地局無線装置のいずれかが過負荷状態となった時刻に、当該基地局無線装置に隣接する基地局無線装置の状態が正常であれば、前記基地局無線装置が過負荷状態となった要因が当該基地局無線装置の構成に起因するものであると判断する、請求項１に記載の移動通信システム。
【請求項３】
無線基地局制御装置と、各々が前記無線基地局制御装置と接続されており、自己で処理可能な呼量を超える呼が発生した場合に、その呼を処理しない複数の基地局無線装置とを有してなる移動通信システムにおける基地局無線装置の過負荷状態監視方法において、
前記無線基地局制御装置が、前記複数の基地局無線装置の各々の状態を監視し、前記複数の基地局無線装置ごとに、当該基地局無線装置の状態監視結果を表す状態情報であってタイムスタンプを付加したものを状態情報格納部に格納するステップと、
前記無線基地局制御装置が、前記複数の基地局無線装置ごとに、当該基地局無線装置に隣接する基地局無線装置を表す隣接基地局情報を隣接基地局情報格納部に格納するステップと、
前記複数の基地局無線装置の各々が、自己の基地局無線装置で処理可能な呼量を超える呼が発生した場合、処理しなかった呼量を表す超過呼量発生情報を作成し、作成した超過呼量発生情報にタイムスタンプを付加したものを前記無線基地局制御装置に送信するステップと、
前記無線基地局制御装置が、前記複数の基地局無線装置の各々から送信されてきた超過呼量発生情報に基づいて、前記複数の基地局無線装置のいずれかにて処理能力を超えた呼が発生して過負荷状態となったかを判断するステップと、
前記無線基地局制御装置が、前記複数の基地局無線装置のいずれかが過負荷状態になったと判断した場合に、前記状態情報格納部に格納されている状態情報、および前記隣接基地局情報格納部に格納されている隣接基地局情報に基づいて、前記基地局無線装置が過負荷状態になった要因が、当該基地局無線装置の構成に起因するものであるか、当該基地局無線装置に隣接する基地局無線装置の状態に起因するものであるかを判断するステップとを有する過負荷状態監視方法。
【請求項４】
前記基地局無線装置が過負荷状態になった要因を判断するステップでは、
前記複数の基地局無線装置のいずれかが過負荷状態となった時刻に、当該基地局無線装置に隣接する基地局無線装置の状態が正常であれば、前記基地局無線装置が過負荷状態となった要因が当該基地局無線装置の構成に起因するものであると判断する、請求項３に記載の過負荷状態監視方法。
【発明の詳細な説明】
【技術分野】
【０００１】
本発明は、移動通信システム、移動通信システムにおける基地局無線装置の過負荷状態監視方法に関するものである。
【背景技術】
【０００２】
基地局無線装置にて処理可能な呼量は、その基地局無線装置のハードウェア構成・ソフトウェア構成に応じて決められる。この種の基地局無線装置においては、処理能力を超えた呼が発生し、過負荷状態となった場合には、呼を廃棄することが行われている。
【０００３】
最近、基地局無線装置が呼を廃棄することで生じる呼損を抑制するための技術が多数開示されている。
【０００４】
その一例として、特許文献１には、ある基地局無線装置が故障等により運用停止状態となった場合に、運用停止状態となった基地局無線装置のエリアを、その基地局無線装置に隣接する基地局無線装置等の他装置でカバーする技術が開示されている。
【特許文献１】特開２００１−１２８２２７号公報
【発明の開示】
【発明が解決しようとする課題】
【０００５】
ところで、基地局無線装置においては、処理能力を超えた呼が発生し、過負荷状態となった場合には、廃棄した呼の情報を使用して、その基地局無線装置においてハードウェアの増設・ソフトウェアの更新が必要であるかを判断することが行われている。
【０００６】
しかしながら、特許文献１に開示された技術のように、運用停止状態となった隣接基地局無線装置のエリアをもカバーする場合においては、基地局無線装置は、通常のエリアよりも広いエリアをカバーすることになるため、収容すべき移動機の数も多くなり、それにより、基地局無線装置の処理能力を超える呼が発生する確率も高くなる。
【０００７】
このような状況において、実際に、基地局無線装置が過負荷状態となった場合、廃棄した呼の情報を使用するだけでは、その要因が、隣接基地局無線装置の運用停止状態に起因するものなのか、基地局無線装置のハードウェア構成・ソフトウェア構成に起因するものなのかを判断することができない。
【０００８】
そのため、従来は、基地局無線装置が過負荷状態となった場合に、その原因が隣接基地局無線装置の状態に起因するものであったとしても、過負荷状態となった基地局無線装置にハードウェアの増設・ソフトウェアの更新が必要であると誤って判断してしまう可能性があった。
【０００９】
そこで、本発明の目的は、基地局無線装置が過負荷状態となった場合において、その基地局無線装置にハードウェアの増設・ソフトウェアの更新が必要であるかを、より正確に判断することができる移動通信システム、移動通信システムにおける基地局無線装置の過負荷状態監視方法を提供することにある。
【課題を解決するための手段】
【００１０】
本発明の移動通信システムは、無線基地局制御装置と、無線基地局制御装置の配下にあって無線基地局制御装置と接続されており、自己で処理可能な呼量を超える呼が発生した場合に、その呼を処理しない複数の基地局無線装置とを有している。
【００１１】
複数の基地局無線装置の各々は、自己の基地局無線装置で処理可能な呼量を超える呼が発生した場合、処理しなかった呼量を表す超過呼量発生情報を作成する超過呼量発生情報作成部と、超過呼量発生情報作成部にて作成された超過呼量発生情報にタイムスタンプを付加する第１のタイムスタンプ付加部と、超過呼量発生情報作成部にて作成された超過呼量発生情報であって第１のタイムスタンプ付加部にてタイムスタンプが付加されたものを無線基地局制御装置に送信する超過呼量発生情報送信部とを有している。
【００１２】
無線基地局制御装置は、複数の基地局無線装置の各々の状態を監視する状態監視部と、状態監視部にて監視された基地局無線装置の状態監視結果を表す状態情報にタイムスタンプを付加する第２のタイムスタンプ付加部と、複数の基地局無線装置ごとに、状態監視部にて監視された当該基地局無線装置の状態情報であって第２のタイムスタンプ付加部にてタイムスタンプが付加されたものを格納する状態情報格納部と、複数の基地局無線装置ごとに、当該基地局無線装置に隣接する基地局無線装置を表す隣接基地局情報を格納する隣接基地局情報格納部と、複数の基地局無線装置の各々から送信されてきた、タイムスタンプが付加された超過呼量発生情報を受信する超過呼量発生情報受信部と、超過呼量発生情報受信部にて受信された超過呼量発生情報に基づいて、複数の基地局無線装置のいずれかにて処理能力を超えた呼が発生して過負荷状態となったかを判断し、さらに、複数の基地局無線装置のいずれかが過負荷状態になったと判断した場合に、状態情報格納部に格納されている状態情報、および隣接基地局情報格納部に格納されている隣接基地局情報に基づいて、基地局無線装置が過負荷状態になった要因が、当該基地局無線装置の構成に起因するものであるか、当該基地局無線装置に隣接する基地局無線装置の状態に起因するものであるかを判断する過負荷状態判断部とを有している。
【００１３】
具体的には、過負荷状態判断部は、複数の基地局無線装置のいずれかが過負荷状態となった時刻に、当該基地局無線装置に隣接する基地局無線装置の状態が正常であれば、基地局無線装置が過負荷状態となった要因が当該基地局無線装置の構成に起因するものであると判断することになる。
【発明の効果】
【００１４】
本発明においては、無線基地局制御装置において、複数の基地局無線装置の各々から送信されてきた、タイムスタンプが付加された超過呼量発生情報に基づいて、複数の基地局無線装置のいずれかにて処理能力を超える呼が発生し、過負荷状態となっていると判断する。この場合、基地局無線装置が過負荷状態となった要因が、基地局無線装置の現ハードウェア構成・ソフトウェア構成にあると直ちに判断するのではなく、必ず過負荷状態となった基地局無線装置の隣接基地局無線装置の状態を照合する。
【００１５】
その結果、過負荷状態となった基地局無線装置の隣接基地局無線装置が全て正常であれば、無線基地局制御装置において、基地局無線装置が過負荷状態となった要因が、その基地局無線装置の現ハードウェア構成・ソフトウェア構成にあると判断する。これに対して、過負荷状態となった基地局無線装置の隣接基地局無線装置のいずれかの状態が異常であれば、基地局無線装置が過負荷状態となった要因が、隣接基地局無線装置の状態に起因するものであると判断することになる。
【００１６】
それにより、基地局無線装置の過負荷状態を誤り無く正確に判断することができるとともに、過負荷状態となった基地局無線装置にハードウェアの増設・ソフトウェアの更新が必要であるかを、より正確に判断することができるという効果がある。
【発明を実施するための最良の形態】
【００１７】
以下に、本発明を実施するための最良の形態について図面を参照して説明する。
【００１８】
図１に、本発明の一実施形態の移動通信システムの構成を示す。
【００１９】
図１を参照すると、本発明の一実施形態の移動通信システムは、無線基地局制御装置１と、無線基地局制御装置１の配下にあって無線基地局制御装置１と接続されており、自己がカバーするエリアにて処理可能な呼量を超える呼が発生した場合に、その呼を処理しない複数の基地局無線装置２Ａ〜２Ｚとを有している。
【００２０】
図２に、図１に示した基地局無線装置２Ａ〜２Ｚの位置関係を表す模式図を示す。
【００２１】
図２を参照すると、例えば、基地局無線装置２Ｍには、基地局無線装置２Ｇ，２Ｈ，２Ｌ，２Ｎ，２Ｒ，２Ｓの６つの基地局無線装置が隣接している。なお、図２において、エリアＡ〜Ｚは、基地局無線装置２Ａ〜２Ｚの各々が通常カバーしているエリアを示している。
【００２２】
基地局無線装置２Ａ〜２Ｚの処理可能な呼量は、そのハードウェア構成・ソフトウェア構成に応じて一義的に決められる。基地局無線装置２Ａ〜２Ｚは、ハードウェアの増設、ソフトウェアの更新によって、処理可能な呼量を増減させることができる。
【００２３】
基地局無線装置２Ａは、超過呼量発生情報作成部２１と、タイムスタンプ付加部２２と、超過呼量発生情報格納部２３と、超過呼量発生情報送信部２４とを有している。なお、図１からは省略されているが、基地局無線装置２Ｂ〜２Ｚも、基地局無線装置２Ａと同様に上記の構成要素を有しているものとする。
【００２４】
超過呼量発生情報作成部２１は、自己の基地局無線装置２Ａで処理可能な呼量を超える処理を必要とする呼が発生した場合、処理能力を超えたがために処理しなかった呼量をカウントし、そのカウント値を表す超過呼量発生情報を作成する。
【００２５】
タイムスタンプ付加部２２は、超過呼量発生情報作成部２１にて作成された超過呼量発生情報にタイムスタンプを付加する。なお、タイムスタンプ付加部２２は、任意に定めた間隔でタイムスタンプを付加するものとする。
【００２６】
超過呼量発生情報格納部２３は、超過呼量発生情報作成部２１にて作成された超過呼量発生情報であってタイムスタンプ付加部２２によりタイムスタンプが付加されたものを格納する。
【００２７】
超過呼量発生情報送信部２４は、超過呼量発生情報格納部２３に格納されている、タイムスタンプが付加された超過呼量発生情報を無線基地局制御装置１に送信する。
【００２８】
無線基地局制御装置１は、状態監視部１１と、タイムスタンプ付加部１２と、状態情報格納部１３と、隣接基地局情報格納部１４と、超過呼量発生情報受信部１５と、過負荷状態判断部１６とを有している。
【００２９】
状態監視部１１は、無線基地局制御装置１に接続されている全ての基地局無線装置２Ａ〜２Ｚの状態（正常な状態であるか、アラーム状態であるか、故障等により運用停止状態であるか等）を監視する。
【００３０】
タイムスタンプ付加部１２は、状態監視部１１にて監視された基地局無線装置２Ａ〜２Ｚの状態監視結果を表す状態情報にタイムスタンプを付加する。
【００３１】
状態情報格納部１３は、基地局無線装置２Ａ〜２Ｚ毎に、状態監視部１１にて監視された当該基地局無線装置の状態情報であってタイムスタンプ付加部１２によりタイムスタンプが付加されたものを格納する。
【００３２】
隣接基地局情報格納部１４は、基地局無線装置２Ａ〜２Ｚ毎に、当該基地局無線装置に隣接する基地局無線装置を表す隣接基地局情報を格納する。
【００３３】
超過呼量発生情報受信部１５は、基地局無線装置２Ａ〜２Ｚの各々から送信されてきた、タイムスタンプが付加された超過呼量発生情報を受信する。
【００３４】
過負荷状態判断部１６は、超過呼量発生情報受信部１５にて受信された超過呼量発生情報に基づいて、基地局無線装置２Ａ〜２Ｚのいずれかにて処理能力を超えた呼が発生して過負荷状態となったかを判断する。さらに、基地局無線装置２Ａ〜２Ｚのいずれかが過負荷状態になったと判断した場合には、状態情報格納部１３に格納されている状態情報、および隣接基地局情報格納部１４に格納されている隣接基地局情報に基づいて、過負荷状態になった要因が、その基地局無線装置のハードウェア構成・ソフトウェア構成に起因するものであるか、隣接基地局無線装置の状態に起因するものであるかを判断する。
【００３５】
具体的には、過負荷状態判断部１６は、基地局無線装置２Ａ〜２Ｚのいずれかが過負荷状態になった場合、その時刻に、その基地局無線装置の隣接基地局無線装置の状態が正常であれば、過負荷状態となった要因がその基地局無線装置のハードウェア構成・ソフトウェア構成に起因するものであると判断する。
【００３６】
これに対して、過負荷状態判断部１６は、基地局無線装置２Ａ〜２Ｚのいずれかが過負荷状態となっても、その時刻に、その基地局無線装置の隣接基地局無線装置の状態が異常（アラーム状態あるいは運用停止状態等）であれば、過負荷状態となった要因が隣接基地局無線装置の状態に起因するものであると判断することになる。
【００３７】
以下に、図１に示した移動通信システムの動作について説明する。ここでは、基地局無線装置２Ｍに隣接する基地局無線装置２Ｇに故障が発生し、運用停止状態となっている場合を想定する。
【００３８】
図３に、基地局無線装置２Ｇが故障している場合の模式図を示す。
【００３９】
図３を参照すると、基地局無線装置２Ｇの隣接基地局無線装置は、基地局無線装置２Ｂ，２Ｃ，２Ｆ，２Ｈ，２Ｌ，２Ｍであり、そのそれぞれが、故障している基地局無線装置２Ｇのエリアをカバーする。図３において、エリアｍは、基地局無線装置２Ｇが故障している場合に基地局無線装置２Ｍがカバーするエリアである。同様に、エリアｂ，ｃ，ｆ，ｈ,ｌ，ｍは、基地局無線装置２Ｇが故障している場合に基地局無線装置２Ｂ，２Ｃ，２Ｆ，２Ｈ，２Ｌがそれぞれカバーするエリアである。
【００４０】
図３からも明らかなように、基地局無線装置２Ｇが故障している場合には、基地局無線装置２Ｍのカバーすべきエリアは通常のエリア（Ｍ）よりも広いエリア（Ｍ＋ｍ）となり、それだけ、収容すべき移動機数も増加している。そのため、基地局無線装置２Ｍにおいて、処理能力を超える呼が発生する確率は高くなる。また、当然であるが、基地局無線装置２Ｇ，２Ｈが同時に故障していれば、基地局無線装置２Ｍのカバーすべきエリアはさらに広がり、処理能力を超える呼が発生する確率はさらに高まることとなる。
【００４１】
基地局無線装置２Ｍの処理能力は、上述のように、基地局無線装置２Ｍに実装されているハードウェア構成・ソフトウェア構成に応じて決まる。そのため、基地局無線装置２Ｍにて処理能力を超える呼が発生し、過負荷状態となった場合に、基地局無線装置２Ｍのハードウェアの増設・ソフトウェアの更新の必要性を判断するには、基地局無線装置２Ｍの隣接基地局無線装置の状態を照合し、過負荷状態となった要因が、隣接基地局無線装置の状態に起因するものであるか、基地局無線装置２Ｍのハードウェア構成・ソフトウェア構成に起因するものであるかを判断することが必須となる。
【００４２】
上述のように、基地局無線装置２Ｍにおいては、自己で処理可能な呼量を超える処理を必要とする呼が発生した場合、その呼を処理しない。この場合、超過呼量発生情報作成部２１では、その処理しなかった呼量を表す超過呼量発生情報を作成し、タイムスタンプ付加部２２では、その超過呼量発生情報にタイムスタンプを付加し、超過呼量発生情報格納部２３では、タイムスタンプが付加された超過呼量発生情報を格納する。さらに、超過呼量発生情報送信部２４では、超過呼量発生情報格納部２３に格納されている、タイムスタンプが付加された超過呼量発生情報を無線基地局制御装置１に送信する。
【００４３】
また、無線基地局制御装置１においては、基地局無線装置２Ｍから送信されてきた、タイムスタンプが付加された超過呼量発生情報が超過呼量発生情報受信部１５にて受信されると、過負荷状態判断部１６では、基地局無線装置２Ｍに処理能力を超える呼が発生し、過負荷状態となっていると判断する。ただし、過負荷状態判断部１６では、基地局無線装置２Ｍが過負荷状態となった要因が基地局無線装置２Ｍの現ハードウェア構成・ソフトウェア構成にあると直ちに判断するのではなく、状態情報格納部１３に格納されている状態情報、および隣接基地局情報格納部１４に格納されている隣接基地局情報に基づき、必ず基地局無線装置２Ｍの隣接基地局無線装置の状態を照合する。図３の例では、基地局無線装置２Ｍの隣接基地局無線装置２Ｇが故障中であるため、過負荷状態判断部１６では、基地局無線装置２Ｍが過負荷状態となった要因が、基地局無線装置２Ｍの現ハードウェア構成・ソフトウェア構成にはないと判断する。これに対して、基地局無線装置２Ｍの隣接基地局無線装置が全て正常であれば、過負荷状態判断部１６では、基地局無線装置２Ｍの現ハードウェア構成・ソフトウェア構成が必要な呼を処理する構成になっていないと判断する。
【図面の簡単な説明】
【００４４】
【図１】本発明の一実施形態の移動通信システムの構成を示す図である。
【図２】図１に示した基地局無線装置２Ａ〜２Ｚの位置関係を表す模式図である。
【図３】基地局無線装置２Ｇが故障している場合の模式図である。
【符号の説明】
【００４５】
１    無線基地局制御装置
２Ａ〜２Ｚ    基地局無線装置
１１    状態監視部
１２    タイムスタンプ付加部
１３    状態情報格納部
１４    隣接基地局情報格納部
１５    超過呼量発生情報受信部
１６    過負荷状態判断部
２１    超過呼量発生情報作成部
２２    タイムスタンプ付加部
２３    超過呼量発生情報格納部
２４    超過呼量発生情報送信部
【図１】
2005348033.tif 000003
【図２】
2005348033.tif 000004
【図３】
2005348033.tif 000005